(57)【特許請求の範囲】
【請求項１】
常温で大気圧より高い圧力のガス体が封入されている球体部と、該球体部の両側に形成されたステム部と、該ステム部の外側に結合された口金部とにより構成される放電灯を保護する安全カバーであって、該カバーは通気性のあるシートで形成され、前記放電管のステム部に結束または口金部の外側で結束されていることを特徴とする放電灯の安全カバー。
【請求項２】
カバーは、布類または網類であって、放電灯の表面に沿って一周以上巻き付けられていることを特徴とする請求項１に記載の放電灯の安全カバー。
【請求項３】
カバーは、両端が開放した筒体であることを特徴とする請求項１に記載の放電灯の安全カバー。
【請求項４】
シートを一本糸環縫いによって縫い合わせた筒体であることを特徴とする請求項３に記載の放電灯の安全カバー。
【請求項５】
カバーは、一端を開放し、他端を閉じた袋体であって、開放端を放電灯のステム部に結束または口金部の外側で結束したことを特徴とする請求項１に記載の放電灯の安全カバー。
【請求項６】
カバーの結束部は、開口部に複数の穴をあけ、この穴に紐を内から外へ、外から内へと交互に挿通したものであることを特徴とする請求項２乃至請求項５に記載の放電灯の安全カバー。
【請求項７】
カバーの結束部は、開口部の周囲を折り返し、縫い付けて環状の空洞を形成し、この空洞に紐を挿通したものであることを特徴とする請求項２乃至請求項５に記載の放電灯の安全カバー。
【発明の詳細な説明】
【０００１】
【産業上の利用分野】
この発明は、高圧ガスが封入された放電灯の安全カバーに関し、特に、非点灯時における自然破裂、取扱時における衝撃・落下などにより破裂したとき、飛散する破片から人身事故および物損事故を防止するように構成したものである。
【０００２】
【従来の技術】
図５に示すように、水銀放電灯５は、中央の球体部51と、この球体部51の両側に形成されたステム部52と、このステム部52の外側に結合された口金部53とにより構成されている。
【０００３】
半導体、液晶パネル、プリント配線板などのパターン形成を行う露光装置の光源として、水銀放電灯が使用されている。水銀放電灯においては、常温でＸｅガス、Ｋｒガス、Ａｒガスなどの希ガスが１気圧以上封入されている。また、映写機やプロジェクターの光源として使用される希ガス型放電灯または水銀放電灯などの金属蒸気放電灯においても、発光管内に常温で１気圧以上の希ガスが封入されている。
【０００４】
このような高圧の希ガスが封入された放電灯を運搬したり、ランプハウス（反射鏡やレンズで構成される光学系）に取付ける際に、放電灯に誤って衝撃を加えたり放電灯を落下させて破損すると、ガラスの破片が飛散して人的・物的な危害を生じる可能性があり、特に、ガラスの破片が人の眼に入ると、最悪の場合には失明するなどの危険性があった。また、半導体工場において、放電灯が破損するとクリーンルームの空気を発塵汚染することがあった。
【０００５】
さらに、高圧ガスを封入した放電灯においては、放電灯製作時に生じた残留歪や発光管表面のマイクロクラックなどに起因して、非点灯時でも自然破裂することがあった。
【０００６】
そこで、従来より高圧ガスが封入された放電灯には、塩化ビニルなどのプラスチックシートまたは放電灯の形状に合わせた成型加工品を安全カバーとして装着していた。
【０００７】
【発明が解決しようとする課題】
このようなプラスチックシートまたは成型加工品の安全カバーについて検証したところ、衝撃・落下などによって発光管に亀裂が生じたときに、この亀裂部から高圧ガスが噴出して亀裂をさらに拡大させ、多数の破片とともに瞬間的に安全カバー内に充満して圧力が上昇し、安全カバーの一部を破片のエッジで突き破って破片とともに噴出する。
【０００８】
このように、安全カバーの一部が破られると、その破断口から多数の破片とともに高圧ガスが集中して噴出することになるので、ガラスの破片の噴出速度が速く、その飛散距離も長くなる。
【０００９】
噴出する各破片が有するエネルギー（０.５×噴出速度の二乗×重量）は、破片の大小に拘わらずほぼ同じであって、大きな破片は噴出速度が遅くて近くに落下するが、小さい破片は噴出速度が速くて遠くまで飛散する傾向があることが認められた。
【００１０】
このように、高圧の希ガスを封入した放電灯が破裂すると、破片が広範囲に飛散して、人的・物的な危害を生じる危険性が大きかった。
【００１１】
そこで、この発明は、このような高圧の希ガスを封入した放電灯が破裂したときに生じる被害を軽減するために考えられたものである。
【００１２】
【課題を解決するための手段】
この発明の放電灯の安全カバーは、常温で大気圧より高い圧力のガス体が封入されている放電灯を保護するもので、通気性シート、通気性筒体、通気性袋体で形成されている。
【００１３】
そして、カバーは、その端部を放電灯のステム部に結束または口金部の外側で結束されるものである。
【００１４】
【発明の実施の形態】
この発明の放電灯の安全カバーは、高圧ガスを封入した放電灯を包む通気性を有するシート、例えば、綿布や網類で構成される。
【００１５】
（第１の実施形態）
図１(ａ)の斜視図に示すように、放電管５の長さ程度の幅を有する布などの通気性シート1aを放電管５に１回以上、好ましくは１.５回以上巻き付けて、図１(ｂ)の斜視図に示すように、巻き付けた通気性シート１の両端部を放電管５のステム51の部分で結束するか、図１(ｃ)の斜視図に示すように、放電管５の口金の外側で結束したものである。
【００１６】
（第２の実施形態）
図２の斜視図に示すように、布を縫い合わせて作った両端を開放した筒体1b、またはメリヤス編みによって作った両端を開放した筒体を用意し、この筒体1bに放電管５を挿通して、図１(ｂ)に示すように、筒体1bの両端部を放電管５のステム52の部分で結束するか、図１(ｃ)に示すように、放電管５の口金53の外側で結束したものである。
【００１７】
（第３の実施形態）
図２の斜視図に示すように、一本糸環縫いによって布を縫い合わせて作った両端を開放した筒体1bを用意し、この筒体1bに放電管５を挿通して、図１(ｂ)に示すように、筒体1bの両端部を放電管５のステム52の部分で結束するか、図１(ｃ)に示すように、放電管５の口金53の外側で結束したものである。
【００１８】
このように、安全カバーを一本糸環縫いによって縫合わせておくと、ランプハウスに放電灯の取付けが完了するまで、安全カバーを装着させておくことができ、取付けが完了したときに縫糸の一端を引っ張って縫目を解くと、安全カバーが１枚の布となるので、容易に取り去ることができる。
【００１９】
（第４の実施形態）
図３(ａ)の斜視図に示すように、布を縫い合わせて作った一端部を閉じた袋体1c、またはメリヤス編みによって作った一端部を閉じた袋体を用意し、この袋体1cの開口部に放電管５を入れて、図３(ｂ)の斜視図に示すように、袋体1cの開口部を放電管５のステム部分で結束するか、図３(ｃ)の斜視図に示すように、放電管５の口金53の外側で結束したものである。
【００２０】
（その他の実施形態）
放電管を包む筒体または袋体の開口部を結束して閉じる手段として、図４(ａ)の斜視図に示すように、開口部に略等間隔に複数の穴２をあけ、この穴２に紐３を内から外へ、外から内へと交互に挿通しておく。そして、この紐３の両端を引っ張って開口部をとじて結束すればよいのである。
【００２１】
また、開口部を結束して閉じる手段として、図４(ｂ)の斜視図に示すように、開口部の周囲を折り返し、縫い付けて環状の空洞４を形成し、この空洞４に紐３を挿通しておく。そして、この紐３の両端を引っ張って開口部を閉じて結束すればよいのである。
【００２２】
以上で説明した安全カバーの材質は布であるが、通気性を有するものであれば綿布に限ることはない。例えば、ポリエステルや金属などの材質であれば、クリーンルーム内に持ち込んでも発塵汚染を防止することができる。
【００２３】
【発明の効果】
以上の実施の形態に基づく説明から明らかなように、この発明の放電灯の安全カバーによると、安全カバーが通気性を有しているので、発光管が破裂しても安全カバーの全面から排気され、ガラス破片は全く飛散せず、破裂音も鈍化された音となるなどの効果を奏することができる。
【図面の簡単な説明】
【図１】この発明の安全カバーの第１の実施の形態を示す斜視図、
【図２】この発明の安全カバーの第２、第３の実施の形態を示す斜視図、
【図３】この発明の安全カバーの第４の実施の形態を示す斜視図、
【図４】この発明の安全カバーの他の実施の形態を示す斜視図、
【図５】水銀放電灯の一例を示す平面図である。
【符号の説明】
1a  通気性シート
1b  通気性筒体
1c  通気性袋体
２  穴
３  紐
４  環状の空洞
５  放電灯
【図１】
0004578014.tif 000002
【図２】
0004578014.tif 000003
【図３】
0004578014.tif 000004
【図４】
0004578014.tif 000005
【図５】
0004578014.tif 000006